(57)【要約】    【課題】  本発明は、ワイヤレスＵＳＢにおいて効率的にＵＳＢポートを使用することができるＵＳＢ機器を提供する。    【解決手段】スキャナＡは、ワイヤレスＵＳＢを介してホストコンピュータと通信し、ホストコンピュータの制御によりスキャン動作を所定時間以上実行していないときに、ホストコンピュータとの通信を切断する。【選択図】      図３
2006244057.tif 000002
【特許請求の範囲】
【請求項１】
ワイヤレスＵＳＢを介して外部装置と通信するＵＳＢ機器において、
前記ワイヤレスＵＳＢを介して前記外部装置と通信する通信手段と、
所定の処理を実行する実行手段と、
前記実行手段が前記所定の処理を所定時間以上実行していないか否かを判別する判別手段と、
前記判別手段により前記所定の処理を所定時間以上実行していないと判別されたときに、前記通信手段による前記外部装置との通信を切断するように制御する制御手段と
を備えることを特徴とするＵＳＢ機器。
【請求項２】
前記制御手段は、前記ワイヤレスＵＳＢのバスリセット、及び前記ＵＳＢ機器の内部設定の初期化を行うことを特徴とする請求項１記載のＵＳＢ機器。
【請求項３】
前記判別手段により、前記実行手段による前記所定の処理を所定時間以上実行していないと判別されたときに、低電力モードへ移行する移行手段を備え、前記移行手段により低電力モードへ移行するときに、前記制御手段が前記通信手段による前記外部装置との通信を切断することを特徴とする請求項１又は２記載のＵＳＢ機器。
【請求項４】
前記ＵＳＢ機器の電源を切断する切断手段を備え、前記切断手段により前記ＵＳＢ機器の電源が切断されるときに、前記制御手段が前記通信手段による前記外部装置との通信を切断することを特徴とする請求項１乃至３のいずれか１項に記載のＵＳＢ機器。
【請求項５】
前記実行手段は、画像を読み取って画像データを取得する読み取り処理を実行し、前記制御手段は、前記読み取り処理を所定時間以上実行していないときに、前記外部装置との通信を切断することを特徴とする請求項１乃至４のいずれか１項に記載のＵＳＢ機器。
【請求項６】
前記所定の処理を実行中にエラーが発生したか否かを判別するエラー判別手段を備え、前記制御手段は、前記所定の処理を実行中にエラーが発生したときに、前記外部装置との通信を切断することを特徴とする請求項１乃至５のいずれか１項に記載のＵＳＢ機器。
【請求項７】
ワイヤレスＵＳＢを介して外部装置と通信するＵＳＢ機器の制御方法において、
前記ワイヤレスＵＳＢを介して前記外部装置と通信する通信ステップと、
所定の処理を実行する実行ステップと、
前記実行ステップにおける前記所定の処理を所定時間以上実行していないか否かを判別する判別ステップと、
前記判別ステップにおいて前記所定の処理を所定時間以上実行していないと判別されたときに、前記外部装置との通信を切断するように制御する制御ステップと
を備えることを特徴とする制御方法。
【請求項８】
前記制御ステップは、前記ワイヤレスＵＳＢのバスリセット、及び前記ＵＳＢ機器の内部設定の初期化を行うことを特徴とする請求項７記載の制御方法。
【請求項９】
前記判別ステップにおいて、前記実行ステップにおける前記所定の処理を所定時間以上実行していないと判別されたときに、低電力モードへ移行する移行ステップを備え、前記移行ステップにより低電力モードへ移行するときに、前記制御ステップにより前記外部装置との通信を切断することを特徴とする請求項７又は８記載の制御方法。
【請求項１０】
前記ＵＳＢ機器の電源を切断する切断ステップを備え、前記切断ステップにより前記ＵＳＢ機器の電源が切断されるときに、前記制御ステップにより前記外部装置との通信を切断することを特徴とする請求項７乃至９のいずれか１項に記載の制御方法。
【請求項１１】
前記実行ステップは、画像を読み取って画像データを取得する読み取り処理を実行し、前記制御ステップは、前記読み取り処理を所定時間以上実行していないときに、前記外部装置との通信を切断することを特徴とする請求項７乃至１０のいずれか１項に記載の制御方法。
【請求項１２】
前記所定の処理を実行中にエラーが発生したか否かを判別する判別ステップを備え、前記制御ステップは、前記所定の処理を実行中にエラーが発生したときに、前記外部装置との通信を切断することを特徴とする請求項７乃至１１のいずれか１項に記載のＵＳＢ機器の制御方法。
【請求項１３】
ワイヤレスＵＳＢを介して外部装置と通信するＵＳＢ機器で実行されるプログラムにおいて、
前記ワイヤレスＵＳＢを介して前記外部装置と通信する通信モジュールと、
所定の処理を実行する実行モジュールと、
前記実行モジュールによる前記所定の処理を所定時間以上実行していないか否かを判別する判別モジュールと、
前記判別モジュールが、前記実行モジュールによる前記所定の処理を所定時間以上実行していないと判別したときに、前記外部装置との通信を切断するように制御する制御モジュールとを備えることを特徴とするプログラム。
【発明の詳細な説明】
【技術分野】
【０００１】
本発明は、ＵＳＢ機器及びその制御方法、並びにプログラムに関し、特に、ワイヤレスＵＳＢインタフェースを備えるＵＳＢ機器及びその制御方法、並びにプログラムに関する。
【背景技術】
【０００２】
従来の有線のＵＳＢ（Universal Serial Bus）を用いたネットワークシステムは、少なくとも１つのホストコンピュータと、そのホストコンピュータにＵＳＢケーブルにより接続されたＵＳＢ機器とを備える。ＵＳＢ機器は、ＵＳＢインタフェースを備え、ＵＳＢプロトコルによりホストコンピュータと通信を行う。
【０００３】
ホストコンピュータは、ＵＳＢ機器が接続されるＵＳＢポートと、接続されたＵＳＢ機器を管理するＵＳＢコントローラとを備え、接続されたＵＳＢ機器の各々に対し、接続処理、コンフィグレーション、及び取り外し処理を行う。これらの処理は、ホストコンピュータに接続された他のＵＳＢ機器に影響を与えることなく行うことができる。
【０００４】
ホストコンピュータは、ＵＳＢ機器のＵＳＢポートへの接続及び取り外しを検出することにより、そのＵＳＢ機器の存在を検出する。また、ＵＳＢコントローラは、新規のＵＳＢ機器がＵＳＢポートに接続された場合に、その接続を検出するためＵＳＢポートの監視を行い、ＵＳＢ機器がポートに接続されたときは、エニュメレーションを開始する。
【０００５】
エニュメレーションは、ＵＳＢ機器の識別プロセスであり、まず、ホストコンピュータがＵＳＢ機器にリセット信号を与える。リセット信号が解除された後、ＵＳＢ機器からコンフィグレーションデータがホストコンピュータへ送出される。ホストコンピュータは、このコンフィグレーションデータに基づいてＵＳＢ機器にＵＳＢアドレスを割り当て、ＵＳＢ機器の使用設定を行い、ＵＳＢ機器と接続状態となる。
【０００６】
有線のＵＳＢ機器において、ＵＳＢケーブルの物理的に挿抜することにより、他のＵＳＢ機器に影響を与えることなくシーケンス上でＵＳＢ機器の接続と取り外しを常時行うことができる。また、制御の上で何らかの影響により通信が不安定になった場合や、ＵＳＢ機器の設定を初期状態へ戻す必要性がある場合に、ＵＳＢケーブルを抜去することによりバスリセットを行うことができる。また、有線のＵＳＢ機器において、ＵＳＢ機器のＵＳＢケーブル挿抜をせずに、リセットする技術が提案されている（例えば、特許文献１参照）。
【０００７】
一方、近年、ワイヤレスＵＳＢを用いてＵＳＢケーブルを用いずにＵＳＢプロトコルで通信する技術が知られている。
【特許文献１】特開２００１−２２８９４４号公報
【発明の開示】
【発明が解決しようとする課題】
【０００８】
しかしながら、ワイヤレスＵＳＢにおいてＵＳＢ機器はホストコンピュータと物理的に接続されていないので接続状態が不安定であり、不意に未接続状態になり、ＵＳＢ機器がハングアップ状態になることがある。ワイヤレスＵＳＢにおいては、ＵＳＢケーブルの挿抜によりバスリセットを行うことができないので、ＵＳＢ機器がハングアップ状態になった場合、正常状態への復帰を図る方法がない。ＵＳＢ機器が接続状態で長時間保持されたためにタイマ処理により電源が落ちたときにも、正常状態へ復帰を図る方法がない。このような状況下では、正常状態へ復帰するために、ホストコンピュータを再起動する必要がある。
【０００９】
また、ワイヤレスＵＳＢにおいては、ＵＳＢ機器は、既に接続されたホストコンピュータから他のホストコンピュータに接続を切り替えるときは、ＵＳＢ機器の電源を一度切断しなければならない。さらに、ホストコンピュータのＵＳＢポートに空きがない場合には、ホストコンピュータは、既に接続されたＵＳＢ機器から他のＵＳＢ機器に容易に接続を切り替えることができない。
【００１０】
従って、ワイヤレスＵＳＢにおいては効率的にＵＳＢポートを使用することができない。
【００１１】
本発明の目的は、ワイヤレスＵＳＢにおいて効率的にＵＳＢポートを使用することができるＵＳＢ機器及びその制御方法、並びにプログラムを提供することにある。
【課題を解決するための手段】
【００１２】
上述の目的を達成するために、請求項１記載のＵＳＢ機器は、ワイヤレスＵＳＢを介して外部装置と通信するＵＳＢ機器において、前記ワイヤレスＵＳＢを介して前記外部装置と通信する通信手段と、所定の処理を実行する実行手段と、前記実行手段が前記所定の処理を所定時間以上実行していないか否かを判別する判別手段と、前記判別手段により前記所定の処理を所定時間以上実行していないと判別されたときに、前記通信手段による前記外部装置との通信を切断するように制御する制御手段とを備えることを特徴とする。
【００１３】
請求項７記載の制御方法は、ワイヤレスＵＳＢを介して外部装置と通信するＵＳＢ機器の制御方法において、前記ワイヤレスＵＳＢを介して前記外部装置と通信する通信ステップと、所定の処理を実行する実行ステップと、前記実行ステップにおける前記所定の処理を所定時間以上実行していないか否かを判別する判別ステップと、前記判別ステップにおいて前記所定の処理を所定時間以上実行していないと判別されたときに、前記外部装置との通信を切断するように制御する制御ステップとを備えることを特徴とする。
【００１４】
請求項１３記載のプログラムは、ワイヤレスＵＳＢを介して外部装置と通信するＵＳＢ機器で実行されるプログラムにおいて、前記ワイヤレスＵＳＢを介して前記外部装置と通信する通信モジュールと、所定の処理を実行する実行モジュールと、前記実行モジュールによる前記所定の処理を所定時間以上実行していないか否かを判別する判別モジュールと、前記判別モジュールが、前記実行モジュールによる前記所定の処理を所定時間以上実行していないと判別したときに、前記外部装置との通信を切断するように制御する制御モジュールとを備えることを特徴とする。
【発明の効果】
【００１５】
本発明によれば、所定の処理を所定時間以上実行していないときに、ワイヤレスＵＳＢを介した外部装置との通信を切断するので、接続状態が不安定になるのを回避すると共に、他のＵＳＢ機器にＷＵＳＢポートを開放し、以って、ワイヤレスＵＳＢにおいて効率的にＷＵＳＢポートを使用することができる。
【発明を実施するための最良の形態】
【００１６】
以下、本発明の実施の形態を図面を参照しながら詳述する。
【００１７】
図１は、本発明の実施の形態に係るＵＳＢ機器を備えるシステムの全体構成を概略的に示す図である。
【００１８】
図１において、本システムは、ホストコンピュータＡ２０１，Ｂ２０２（外部制御装置）と、スキャナＡ２０３，Ｂ２０４（ＵＳＢ機器）とを備え、これらはワイヤレスＵＳＢ（以下、「ＷＵＳＢ」という）を介して互いに接続されている。
【００１９】
ホストコンピュータＡ２０１，Ｂ２０２は、スキャナＡ２０３，Ｂ２０４を操作するためのスキャナドライバを備え、スキャナドライバをＯＳ上でロードして実行することにより、スキャナＡ２０３，Ｂ２０４を制御する。また、ホストコンピュータＡ２０１，Ｂ２０２は、ＵＳＢ機器を接続するためのＷＵＳＢポートを備える。
【００２０】
スキャナＡ２０３，Ｂ２０４は、後述するように、原稿から読み取った画像を電気的な画像信号に変換するイメージセンサと、変換された画像信号をディジタル化した画像信号に変換するＡ／Ｄコンバータと、変換したディジタル画像信号をＷＵＳＢを介してホストコンピュータに転送するＷＵＳＢインタフェースとを夫々備える。
【００２１】
例えば、スキャナＡ２０３が、ホストコンピュータＡ２０１と接続して、スキャンを開始しようとする場合、スキャナＡ２０３は、ホストコンピュータＡ２０１とＷＵＳＢを介して接続するための内部設定を行う。次に、ホストコンピュータＡ２０１を、スキャナＡ２０３を認識できる範囲へ移動させる。ホストコンピュータＡ２０１は、スキャナＡ２０３を認識すると、スキャナＡ２０３との間での通信を確立するための手続きを開始する。
【００２２】
スキャナＡ２０３は、ホストコンピュータＡ２０１と通信している限りは、近隣に設置されたホストコンピュータＢ２０２がスキャナＡ２０３を認識できる範囲にある場合にも、ホストコンピュータＢ２０２との通信を開始しない。
【００２３】
また、ホストコンピュータＡ２０１は、スキャナＡ２０３と接続している場合において、ＷＵＳＢポートの空きがないときは、スキャナＢ２０４との通信を開始できない。ホストコンピュータＡ２０１及びホストコンピュータＢ２０２の両方のＷＵＳＢポートに空きがあるときは、スキャナＢ２０４は、任意のホストコンピュータを選択して通信を確立する。
【００２４】
図２は、図１におけるスキャナＡ２０３の内部構成を示すブロック図である。
【００２５】
図２において、スキャナＡ２０３は、イメージセンサ１と、Ａ／Ｄコンバータ２と、ＣＰＵ３と、光源ランプ４と、光源制御回路５と、パルスモータ６と、パルスモータ駆動回路７と、メモリ８と、ＲＦ変調部９と、ＷＵＳＢ通信ユニット１０と、操作部１１と、電源部１２と、表示部１３とを備える。
【００２６】
ＷＵＳＢ通信ユニット１０は、外部装置であるホストコンピュータとの間でＷＵＳＢを用いて無線通信する。ここでは外部装置としてホストコンピュータを例にとって説明するが、外部装置は、ＷＵＳＢ通信機能を備えたプリンタ、多機能プリンタ（ＭＦＰ）、画像表示装置、ストレージデバイス等であってもよい。
【００２７】
ＲＦ変調部９は、ホストコンピュータとの間でＷＵＳＢ通信ユニット１０により無線でデータを送受信するために、データをＲＦ変調する。光源ランプ４は、例えば冷陰極管で構成され、読み取り対象となる原稿を照射する。光源制御回路５は、インバータ回路から構成され、冷陰極管からなる光源ランプ４を駆動して点灯する。
【００２８】
イメージセンサ１は、光源ランプ４により照射された読み取り対象となる原稿画像を読み取り、電気信号に変換して出力する。Ａ／Ｄコンバータ２は、イメージセンサ１から出力されたアナログ画像信号をディジタル画像信号に変換する。
【００２９】
ＣＰＵ３は、システムコントローラおよび画像処理部を構成する。システムコントローラは、スキャナ全体の動作処理シーケンスを記憶し、ホストコンピュータからの命令に従って各種制御を行う。画像処理部は、Ａ／Ｄコンバータ２によりディジタル化された画像信号に対してオフセット補正、シェーディング補正、ガンマ補正、ディジタルゲイン調整、主・副走査方向の解像度変換等の画像処理を行う。
【００３０】
パルスモータ６は、イメージセンサ１及び光源ランプ４を内蔵した走査ユニット（不図示）を原稿台（不図示）に対して移動走査させるための駆動源であり、パルスモータ駆動回路７から出力される励磁切り替え信号に応じて動作する。
【００３１】
メモリ８は、例えばＲＡＭ（ランダムアクセスメモリ）からなり、アドレスバス及びデータバスで構成されるシステムバス（不図示）を介してＣＰＵ３と接続されている。メモリ８は、ＣＰＵ３の画像処理部によって画像処理が行われる際のワーキングエリアとして用いられ、シェーディング補正処理を行うためのシェーディングデータや、ガンマ補正を行うためのガンマカーブデータを記憶する。また、メモリ８は、ＷＵＳＢ通信ユニット１０を介して外部装置に画像データを転送する際の画像データのバッファメモリとしても用いられる。
【００３２】
表示部１３は、スキャナの設定内容や動作状況を確認するための表示を行うものである。表示部１３と隣接して操作部１１が設けられている。電源部１２は、スキャナの各部に電力を供給する。
【００３３】
図３は、図２のスキャナＡ２０３のＣＰＵ３の制御によって実行される通信制御処理の手順を示すフローチャートである。
【００３４】
図３の処理では、一定時間以上スキャン動作を行わないときにホストコンピュータとの通信を切断する。
【００３５】
図３において、まず、スキャナＡ２０３の電源がオンになると（ステップＳ１）、スキャナＡ２０３のＣＰＵ３は、ＷＵＳＢインタフェースの初期設定を含むイニシャライズ（初期化）を行い、ＵＳＢポートへ接続するためのエニュメレーションを行う（ステップＳ２）。次に、ＣＰＵ３は、ＷＵＳＢインタフェースのバスリセットを行い、ホストコンピュータとの通信確立を開始する（ステップＳ３）。
【００３６】
次に、ＣＰＵ３は、コンフィグレーションデータをホストコンピュータに送信することによりスキャナＡ２０３の使用される環境設定を確立し（ステップＳ３）、ホストコンピュータとの通信を確立する（ステップＳ５）（通信手段）。通信が確立されると、ホストコンピュータは、スキャナを操作するためのスキャナドライバを立ち上げ、スキャナＡ２０３は、スキャンを開始するまで待機状態（スタンバイ）となる（ステップＳ６）。
【００３７】
次に、スキャン動作開始の指令が出されたか否かを判別し（ステップＳ７）、スキャン動作開始の指令が出されたときは、原稿のスキャン処理を実行し、取得された画像データをホストコンピュータへ送出し（ステップＳ８）（実行手段）、ステップＳ６のスタンバイ状態へ戻る。
【００３８】
ステップＳ７の判別の結果、スキャン動作開始の指令が出されないときは、スタンバイ状態で一定時間経過したか否かを内蔵のタイマにより判別し（ステップＳ９）（判別手段）、スタンバイ状態で一定時間経過していないときは、ステップＳ６のスタンバイ状態へ戻る。
【００３９】
ステップＳ９の判別の結果、スタンバイ状態で一定時間経過したときは、ＣＰＵ３は、ホストコンピュータとの通信を切断し（ステップＳ１０）（制御手段）、ＷＵＳＢインタフェースのバスリセットを行い、スキャナＡ２０３の内部設定をリセットする（ステップＳ１１）。
【００４０】
次に、ホストコンピュータからの通信再開指示又はスキャナＡ２０３の操作部１１におけるボタン操作等により、さらに一定時間以内に通信が再開されたか否かを内蔵のタイマにより判別し（ステップＳ１２）、通信が再開されたときは、ステップＳ２に戻る一方、通信が再開されないときは、本処理を終了する。
【００４１】
図３の処理によれば、スタンバイ状態で一定時間経過したときは（ステップＳ９でＹＥＳ）、ＣＰＵ３は、ホストコンピュータとの通信を切断する（ステップＳ１０）ので、接続状態が不安定になるのを回避すると共に、他のＵＳＢ機器にＷＵＳＢポートを開放し、以って、ワイヤレスＵＳＢにおいて効率的にＷＵＳＢポートを使用することができる。
【００４２】
図４は、図３の通信制御処理の変形例の手順を示すフローチャートである。
【００４３】
図４の処理は、ステップＳ７〜Ｓ９に代えて、ステップＳ２１〜Ｓ２４を実行する点でのみ図３の処理と異なる。図４において、図３と同一ステップには同一符号を付し、その説明を省略する。
【００４４】
図４の処理では、エラーが発生した場合に復帰するためにホストコンピュータとの通信を切断する。
【００４５】
図４において、スキャン動作開始の指令が出されたか否かを判別し（ステップＳ２１）、スキャン動作開始の指令が出されないときは、ステップＳ６に戻る一方、スキャン動作開始の指令が出されたときは、原稿のスキャン処理を実行し、取得された画像データをホストコンピュータへ送出する（ステップＳ２２）。
【００４６】
次に、スキャン処理においてエラーが発生したか否かを判別し（ステップＳ２３）、スキャン処理においてエラーが発生したと判別したときは、ステップＳ１０以降の処理を実行して、ＣＰＵ３は、ホストコンピュータとの通信を切断する。
【００４７】
ステップＳ２３の判別の結果、スキャン処理においてエラーが発生しなかったと判別したときは、スキャンが終了したか否かを判別し（ステップＳ２４）、スキャンが終了していないときは、ステップＳ２２に戻る一方、スキャンが終了したときは、ステップＳ１０以降の処理を実行して、ＣＰＵ３は、ホストコンピュータとの通信を切断する。
【００４８】
図４の処理によれば、スキャン処理においてエラーが発生したときは（ステップＳ２３でＹＥＳ）、ＣＰＵ３は、ホストコンピュータとの通信を切断する（ステップＳ１０）ので、接続状態が不安定になるのを回避すると共に、他のＵＳＢ機器にＷＵＳＢポートを開放し、以って、ワイヤレスＵＳＢにおいて効率的にＵＳＢポートを使用することができる。
【００４９】
尚、ホストコンピュータとの通信確立状態で、スキャナＡ２０３が所定時間以上スキャン動作を開始しなかったために低電力モードタイマが動作して低電力モードへ移行するときに、上述の通信切断処理を実行してもよい。
【００５０】
また、ホストコンピュータとの通信確立状態で、スキャナＡ２０３の電源が切断されるときに、上述の通信切断処理を実行してもよい。
【００５１】
また、本発明の目的は、実施の形態の機能を実現するソフトウェアのプログラムコードを記録した記憶媒体を、システム又は装置に供給し、そのシステム又は装置のコンピュータ（又はＣＰＵやＭＰＵ等）が記憶媒体に格納されたプログラムコードを読み出して実行することによっても達成される。
【００５２】
この場合、記憶媒体から読み出されたプログラムコード自体が前述した実施の形態の機能を実現することになり、そのプログラムコード及び該プログラムコードを記憶した記憶媒体は本発明を構成することになる。
【００５３】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。又は、プログラムコードをネットワークを介してダウンロードしてもよい。
【００５４】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部又は全部を行い、その処理によって前述した実施の形態の機能が実現される場合も含まれる。
【００５５】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって前述した実施の形態の機能が実現される場合も含まれる。
【図面の簡単な説明】
【００５６】
【図１】本発明の実施の形態に係るＵＳＢ機器を備えるシステムの全体構成を概略的に示す図である。
【図２】図１におけるスキャナＡの内部構成を示すブロック図である。
【図３】図２のスキャナＡのＣＰＵの制御によって実行される通信制御処理の手順を示すフローチャートである。
【図４】図３の通信制御処理の変形例の手順を示すフローチャートである。
【符号の説明】
【００５７】
２０１  ホストコンピュータＡ
２０２  ホストコンピュータＢ
２０３  スキャナＡ
２０４  スキャナＢ
【図１】
2006244057.tif 000003
【図２】
2006244057.tif 000004
【図３】
2006244057.tif 000005
【図４】
2006244057.tif 000006